(57)【特許請求の範囲】
【請求項１】
クライアント装置にて表示するための地図表示イメージを作成して前記クライアント装置へ送信する処理を行う表示制御装置において、
地図表示イメージ全体を所定の区分に従って複数に区分けした区分単位毎に標準地図の地図情報を格納した第１のデータベースと、
複数の表示条件の各々と関連する前記区分とを対応付けて格納した第２のデータベースと、
１つの表示条件について前記区分単位毎に該区分単位が表示対象となったときの条件値を設定して格納した第３のデータベースと、
前記クライアント装置から表示条件の指定を受信し、受信した前記表示条件に基づいて前記第２のデータベースの該当する区分を取得し、取得した前記区分に基づいて前記第１のデータベースから当該区分に含まれる全ての区分単位を表示対象とし、全ての前記表示対象の各々の地図情報をそれぞれ取得する手段と、
取得した全ての前記地図情報に基づいて標準地図の地図表示イメージを作成して前記クライアント装置へ送信する手段と、
前記標準地図の地図表示イメージにて指定された始点の表示対象の情報を前記クライアント装置から受信し、受信した前記始点の表示対象に基づいて前記第３のデータベースを参照し、当該始点の表示対象の条件値とそれ以外の表示対象の各々の条件値との比率をそれぞれ算出する手段と、
算出された比率に基づいて全ての前記表示対象の各々に対応する地図情報の縮尺をそれぞれ変更する手段と、
縮尺をそれぞれ変更した全ての前記地図情報に基づいて縮尺変更した地図表示イメージを作成して前記クライアント装置へ送信する手段と、を備えたことを特徴とする
縮尺可変の地図の表示制御装置。
【発明の詳細な説明】
【技術分野】
【０００１】
本発明は、標準的な地図情報を所定の表示条件に従って縮尺変更して地図表示イメージを作成し、クライアント装置に地図表示イメージを送信して表示させるための、縮尺可変の地図の表示制御装置に関するものである。
【背景技術】
【０００２】
近年、インターネット接続可能なクライアント装置上にて、種々の情報を含む地図を手軽に表示することが可能となっている（特許文献１、２等）。種々の情報とは、文字や記号で表される地名、施設、地域情報等、地図上に重ねて表示されるあらゆる情報を含む。
【先行技術文献】
【特許文献】
【０００３】
【特許文献１】特開２００８−２１６８４１号公報
【特許文献２】特開２０１１−１２３０８６号公報
【発明の概要】
【発明が解決しようとする課題】
【０００４】
しかし、通常表示される地図は、実際の面積比を忠実に反映した標準的な地図であるため、表示する情報が密集している場所に関しては、表示を拡大しなくては情報が確認できず、ユーザによる拡大操作という手間がかかってしまう場合が多い。その結果、ユーザによっては拡大操作を実行しないという事象が発生し、それによる情報の見逃しが発生する可能性が高い。また、情報密集地域については、どの程度の密集比率かを視覚的に認識することが困難であるため、誤った密集比率にて認識するという事象が発生して、それによる情報の見逃しが発生する可能性も高い。よって、ユーザにとっての操作の煩雑さや視認の困難さによる情報の見逃しを防ぐことが必要である。
【０００５】
以上の現状に鑑み、本発明は、地図表示が実際の面積比に従った一定の縮尺で表示されることにより、面積比の低い地域に特定情報が密集してしまい、視覚的に情報が解読困難になってしまうことによる情報の見逃しを回避できる地図の表示制御装置を提供することを目的とする。
【課題を解決するための手段】
【０００６】
上記の目的を達成するべく、本発明は、標準地図の各部分（区分単位）をそれぞれ表示条件に応じた適切な縮尺で変更して表示するように制御する、縮尺可変の地図の表示制御装置を提供する。
本発明による縮尺可変の地図の表示制御装置は、クライアント装置にて表示するための地図表示イメージを作成して前記クライアント装置へ送信する処理を行う表示制御装置において、
地図表示イメージ全体を所定の区分に従って複数に区分けした区分単位毎に標準地図の地図情報を格納した第１のデータベースと、
複数の表示条件の各々と関連する前記区分とを対応付けて格納した第２のデータベースと、
１つの表示条件について前記区分単位毎に該区分単位が表示対象となったときの条件値を設定して格納した第３のデータベースと、
前記クライアント装置から表示条件の指定を受信し、受信した前記表示条件に基づいて前記第２のデータベースの該当する区分を取得し、取得した前記区分に基づいて前記第１のデータベースから当該区分に含まれる全ての区分単位を表示対象とし、全ての前記表示対象の各々の地図情報をそれぞれ取得する手段と、
取得した全ての前記地図情報に基づいて標準地図の地図表示イメージを作成して前記クライアント装置へ送信する手段と、
前記標準地図の地図表示イメージにて指定された始点の表示対象の情報を前記クライアント装置から受信し、受信した前記始点の表示対象に基づいて前記第３のデータベースを参照し、当該始点の表示対象の条件値とそれ以外の表示対象の各々の条件値との比率をそれぞれ算出する手段と、
算出された比率に基づいて全ての前記表示対象の各々に対応する地図情報の縮尺をそれぞれ変更する手段と、
縮尺をそれぞれ変更した全ての前記地図情報に基づいて縮尺変更した地図表示イメージを作成して前記クライアント装置へ送信する手段と、を備えたことを特徴とする。
【発明の効果】
【０００７】
本発明の縮尺可変の地図の表示制御装置によれば、面積比の低い地域に情報が密集している場合であっても、地図表示イメージから情報を容易に認識することが可能となる。
本発明の効果をまとめると次の通りである。
（１）ユーザの目的に応じて、標準地図の各区分単位を表示条件に応じて適切な縮尺にそれぞれ変更して地図表示イメージを作成し、表示することにより、情報を視覚的に容易に把握できるため、情報の見逃しを減らすことが可能となる。
（２）ユーザにより、縮尺変更処理の始点となる都道府県等の区分単位を指定できるため、ユーザのニーズに沿った始点を選択しこれを基準とした所定の比率で縮尺することにより、柔軟な対応が可能となる。
【図面の簡単な説明】
【０００８】
【図１】図１は、本発明の実施形態の一例を概略的に示すシステム構成図である。
【図２】図２は、地図情報データベースの一例の概要構成図である。
【図３】図３は、表示条件データベース内の表示値テーブルの一例の概要構成図である。
【図４】図４は、表示条件データベース内の表示条件テーブルの一例の概要構成図である。
【図５】図５は、表示条件データベース内の表示対象リストテーブルの一例の概要構成図である。
【図６】図６は、クライアント装置とホスト装置間のメッセージ概要図である。
【図７】図７は、表示順序リストの一例の概要構成図である。
【図８】図８は、クライアント装置とホスト装置間の概要シーケンス図である。
【図９】図９は、図８の標準地図情報取得処理の詳細フローである。
【図１０】図１０は、図８の表示縮尺情報算出及び送信情報作成処理の詳細フローである。
【図１１】図１１はクライアント装置に表示される画面の一例を示した図である。
【発明を実施するための形態】
【０００９】
以下、本発明を適用した実施形態の一例を示した図面を参照して、本発明による縮尺可変の地図の表示制御装置について説明する。
【００１０】
図１は、本発明の実施形態の一例を概略的に示すシステム構成図である。本システムは、ホスト装置１と、地図表示クライアント装置（以下、「クライアント装置」と称する）１０とを備えている。
【００１１】
ホスト装置１は、縮尺可変の地図の表示制御装置としての機能を有する。ホスト装置１の主たる機能は、標準的な地図情報を所定の表示条件に従って縮尺変更して地図表示イメージを作成し、作成した地図表示イメージをクライアント装置１０に送信することである。クライアント装置１０は、ホスト処理装置１に対し、地図表示イメージの表示条件等を送信し、ホスト処理装置１から縮尺変更した地図表示イメージを受信して表示装置（図示せず）にて表示する。ホスト装置１とクライアント装置１０とは、公衆インタネット網９を介して接続可能とする。
【００１２】
ホスト装置１は、適宜のコンピュータにより実施可能であり、搭載されたＣＰＵが所定のプログラムをメモリに読み込み実行することにより、後に説明する各処理部の機能を実現する。クライアント装置１０は、通常のクライアントＰＣ７やタブレット端末等の移動型端末８など様々な端末により実施可能である。
【００１３】
ホスト装置１は、地図情報データベース５と表示条件情報データベース６を備えている。
地図情報データベース５には、例えば日本地図の場合、面積、緯度、経度など地図表示に必要な標準地図（全体が一定の縮尺である通常の地図）の地図情報が、種々の区分に基づいて分けられた区分単位の地図毎に登録される。
表示条件情報データベース６には、縮尺変更した地図表示イメージを作成するための表示条件等が登録される。
【００１４】
ホスト装置１は、縮尺可変の地図の表示制御装置としての機能を実現する処理部として、地図情報管理部２と、地図表示イメージ作成図３と、地図表示処理部４とを有する。
地図情報管理部２は、地図情報データベース５からの地図情報の取得及び更新管理等の処理を行う。
地図表示イメージ作成部３は、クライアント装置１０によって指定された始点及び表示条件と、表示条件情報データベース６に登録された表示条件の詳細とに基づいて、所定の縮尺変更を行った地図表示イメージを作成する。
地図表示処理部４は、地図表示イメージ作成部３によって作成された地図表示イメージをクライアント装置１０に送信し、または、クライアント装置１０から地図表示イメージを縮尺変更するための始点及び表示条件の各情報を受信する。
【００１５】
図２は、図１に示した地図情報データベース５の一例の概要構成図である。各テーブルの地図情報として、区分単位５１と、主官庁所在地名５２と、地図表示イメージ作成の際に用いる起点箇所（この例では県庁所在地）の緯度５３及び経度５４とからなる基本情報と、地図情報の更新日時の登録／更新年月日５５と、地図縮尺設定を行う際の対象地図粒度を示す区分５６と、その他地図表示に必要なデータ５７とが登録される。例えば、区分単位５１は"神奈川県"、主官庁所在地名５２は"横浜市"、緯度５３は"北緯３５度２６分"、経度５４は"東経１３９度３９分"、登録／更新年月日は"２０１２年４月１日"、区分５６は"都道府県"である。
【００１６】
図２のテーブルに登録された地図情報は、標準地図の地図情報であり、これをそのまま用いて縮尺変更前の標準地図を表示したり、または、縮尺変更後の地図を表示する際の相対情報としての基本情報に用いられる。
【００１７】
区分５６は、表示される地図表示イメージ全体を複数の単位に区分けする基準を表す。区分５６には、"都道府県"の他にも"地方"や"国"などの区分を設定可能である。区分５６が"地方"の場合は、日本の地方（関東、関西等）を単位とした日本地図が表示される。
また、区分５６の内容に従って区分けされた複数の単位の各々が区分単位５１である。区分５６が"地方"の場合には、区分単位５１は"関西地方"や"関東地方"となる。
区分単位５１は、本発明による縮尺変更処理の対象となる単位であり、以下に説明する縮尺変更処理の対象として抽出された場合は「表示対象」と称される。
【００１８】
図３は、図１に示した表示条件情報データベース６に含まれる表示値テーブルの一例の概要構成図である。表示値テーブルには、縮尺変更した地図表示イメージを作成する際の条件を示す表示条件６１と、表示対象の区分単位の名称を示す表示対象６２と、当該表示条件についての当該表示対象に割り当てた値である条件値６３と、その他地図表示に必要なデータ６４とが登録される。例えば、表示条件６６は"人口密度（都道府県）"、表示対象６２は"北海道"、条件値６３は"６６"である。条件値は、標準地図の縮尺を変更して地図表示イメージを作成する際の演算に用いる。例えば、表示条件が"人口密度（都道府県）"の場合、条件値は、各都道府県の人口密度の高低を反映した値を割り当てる。その場合、必ずしも正確に人口密度に比例した値を設定する必要はない。本発明で作成する縮尺変更した地図表示イメージは、あくまで情報を見やすくすることが目的であるので、条件値もこの目的を配慮した上で設定する。
【００１９】
図４は、図１に示した表示条件情報データベース６に含まれる表示条件テーブルの一例の概要構成図である。表示条件テーブルには、複数の表示条件のうちの１つを特定する表示条件X １６１（X：１以上の整数）と、当該表示条件に関係する区分を示す区分１６２と、その他表示条件に関連する関連データ１６３とが登録される。例えば、表示条件1 １６１は"人口密度（都道府県）"、区分１６２は"都道府県"である。
【００２０】
図５は、図１に示した表示条件情報データベース６に含まれる表示対象リストテーブルの一例の概要構成図である。表示対象リストテーブルには、図４の表示条件テーブルの１つの表示条件X １６１が指定された際に、当該表示条件１６４と、１又は複数の表示対象からなる表示対象YY １６５（YY：１以上の整数）のリストが登録される。
【００２１】
リスト作成においては、図４の表示条件テーブルを参照して表示条件X １６１（例えば"人口密度（都道府県）"）に対応する区分（例えば"都道府県"）を取得し、取得した区分に基づいて図２の地図情報データベースを参照して該当する全ての区分単位を取得し、これらの区分単位の各々を表示対象YYとしてリストを作成する。
例えば、表示条件１６４が、"人口密度（都道府県）"の場合、表示対象1、表示対象2、...表示対象YYは、"北海道"、"青森"..."沖縄"となる。
【００２２】
図６は、クライアント装置とホスト装置間で送受信されるメッセージの一例の概要図である。（a）は表示条件、（b）は地図表示区分指定コマンド、（c）は地図表示結果、（d）は始点指定コマンドの各メッセージである。（a）の表示条件及び（c）の地図表示結果のメッセージは、ホスト装置からクライアント装置へ送信される。（b）の地図表示区分指定コマンド及び（d）の始点指定コマンドのメッセージは、クライアント装置からホスト装置へ送信される。
【００２３】
図６（a）の表示条件メッセージは、ホスト装置の表示条件情報データベースにて保持する表示条件テーブルに基づいて作成した表示条件リストをクライアント装置に送信するメッセージである。表示条件リストは、選択可能な全ての表示条件の一覧である。このメッセージのフレームは、表示条件メッセージであることを示すヘッダー"表示条件"２０１と、表示条件として指定可能である表示条件のリストである表示条件リスト２０２と、１回の表示処理を特定する表示ＩＤ２０３と、クライアント装置を特定するユーザＩＤ２０４とからなる。ここで、「１回の表示処理」とは、１つの縮尺変更処理した地図表示イメージを作成してクライアント装置にて表示させるまでの一連の処理をいう。
【００２４】
図６（b）の地図表示条件指定コマンドメッセージは、（a）の表示条件メッセージによりクライアント装置の表示装置の画面上に表示された表示条件リストからクライアント装置が選択した表示条件をホスト装置に送信するメッセージである。このメッセージのフレームは、表示条件を指定するコマンドであることを示すヘッダー"地図表示条件指定コマンド"２１１と、指定された表示条件２１２と、１回の表示処理を特定する表示ＩＤ２１３と、クライアント装置を特定するユーザＩＤ２１４とからなる。例えば、表示条件２１２は、"人口密度（都道府県）"または"人口密度（地方）"等である。
【００２５】
上記コマンドで指定された表示条件に基づいて、ホスト装置は、まず指定された表示条件に一致する区分に含まれる区分単位を表示対象とし、これらの区分単位に対応する全ての標準地図を、地図情報データベースから抽出する。また、この指定された表示条件に基づいて、図５の表示対象リストテーブルが作成される。次に、ホスト装置は、抽出された標準地図の地図表示イメージを、（c）の地図表示結果メッセージを用いてホスト装置からクライアント装置に送信する。
【００２６】
図６（c）の地図表示結果メッセージのフレームは、地図表示結果情報であることを示すヘッダー"地図表示結果"２２１と、標準地図の地図表示イメージである位置識別情報２２２と、１回の表示処理を特定する表示ＩＤ２２３と、クライアント装置を特定するユーザＩＤ２２４とからなる。
【００２７】
図６（d）の始点指定コマンドメッセージは、（c）の地図表示結果メッセージによりクライアント装置の表示装置の画面上に表示された標準地図から、クライアント装置が標準地図上で始点として指定した区分単位の情報をホスト装置に送信するコマンドである。このメッセージのフレームは、始点を指定するコマンドであることを示すヘッダー"始点指定コマンド"２３１と、指定された始点２３２と、１回の表示処理を特定する表示ＩＤ２３３と、クライアント装置を特定するユーザＩＤ２３４とからなる。
【００２８】
ホスト装置は、図６（d）の始点指定コマンドメッセージで指定された始点と、図６（b）の地図表示条件指定コマンドメッセージで指定された表示条件とに基づいて、標準地図の地図情報を縮尺変更処理した地図表示イメージを作成する。その結果作成された地図表示イメージを、再び図６（c）の地図表示結果メッセージを用いてクライアント装置に送信する。
【００２９】
なお、縮尺変更した地図表示イメージを作成するにあたり、指定された表示条件に基づいて作成された図５の表示対象リストテーブルに登録されている各表示対象に対する地図表示イメージの作成順序を決めておくことが必要となる。そのためのリストが表示順序リストであり、その一例の概要構成図を図７に示す。
【００３０】
図７は、表示対象の表示順序リストの一例の概要構成図である。このテーブルは、表示対象名６０１、表示名６０２、処理順序６０３からなる。処理順序６０３は、複数の表示対象の各々の標準地図に対して縮尺変更処理を実施する処理順序を設定する。処理順序の決定は、まずテーブルにおいて、始点として指定された表示対象の行より上位行に登録されている表示対象に順番に１インクリメントした順序を付与する。表示対象を検索し、最上位行まで番号付与を完了した場合、再度始点に戻る。次に、始点の行より下位行に登録されている表示対象に順番に１インクリメントした順序を付与する。表示対象の最下位行まで番号付与を完了した時点で番号付与処理を終了する。
【００３１】
図８は、クライアント装置とホスト装置間の概要シーケンスである。クライアント装置により初期画面起動要求がされる（３０１）。ホスト装置では、表示条件情報データベースより表示条件リストを取得し（３０２）、表示条件メッセージ（図６（a））を用いてクライアント装置へ初期画面を送信する。
【００３２】
表示条件リストを含んだ初期画面を取得したクライアント装置は表示条件選択画面に表示条件リストをプルダウンメニューにて表示する（３０３）。クライアント装置にてプルダウンメニューから選択された１つの表示条件を地図表示条件指定コマンドメッセージ（図６（b））にてホスト装置へ送信する。
【００３３】
指定された表示条件に基づいて、対応する全ての標準地図の地図情報を地図情報データベースから取得し（３０４）、取得した標準地図の地図表示イメージを地図表示結果メッセージ（図６（c））にてクライアント装置に送信する。
【００３４】
地図表示結果を取得したクライアント装置は、標準地図の地図表示イメージをクライアント装置の表示装置の画面上に表示する（３０５）。表示した標準地図から選択した始点の表示対象の情報（３０６）を始点指定コマンドメッセージ（図６（d））にてホスト装置に送信する。始点となる表示対象の情報を取得したホスト装置は、始点と表示条件とに基づいて、各表示対象の標準地図に対して縮尺変更のための所定の演算を行い、縮尺変更した地図表示イメージを作成する（３０７）。地図表示イメージの作成結果を地図表示結果メッセージ（図６（c））にてクライアント装置へ送信する。地図表示結果メッセージを取得したクライアント装置は、縮尺変更した地図表示イメージをクライアント装置の表示装置の画面上に表示する（３０８）。
【００３５】
図９は、図８のステップ３０４の処理（表示条件に基づく標準地図の地図情報の取得）の詳細を示したフロー図である。
クライアント装置より地図表示条件指定コマンドメッセージ（図６（b））を受信し、指定された表示条件を取得する（４０１）。指定された表示条件に基づいて図４の表示条件テーブルにて対応する区分を取得する（４０２）。取得した区分に基づいて図２の地図情報データベースより当該区分に該当する全ての区分単位の標準地図の地図情報を取得する（４０３）。（図示しないが、このとき取得した全ての区分単位を表示対象と決定して、図５の表示対象リストテーブルも作成される。）取得した標準地図の地図情報から作成した地図表示イメージを地図表示結果メッセージ（図６（c））にてクライアント装置へ送信する。
【００３６】
図１０は、図８のステップ３０７の処理（始点及び表示条件に基づく縮尺変更した地図表示イメージの作成）の詳細を示した処理フロー図である。
クライアント装置より始点指定コマンドメッセージ（図６（d））を受信し、始点となる表示対象の情報を取得し、始点として指定された表示対象を決定する（５０１）。次に、始点と図５の表示対象リストテーブルを基にして図７の表示順序リストを作成する（５０２）。
【００３７】
図７の表示順序リストの処理順序に従って、表示対象リストテーブルに設定された表示対象の地図情報を地図情報データベースより取得する（５０３）。処理対象である表示対象の条件値を表示条件情報データベースの表示値テーブル（図３）より取得する（５０４）。そして、始点で指定された表示対象の条件値と、処理対象である表示対象の条件値の比率を算出する（５０５）。
【００３８】
次に、処理対象である表示対象の起点箇所の表示位置を図２の地図情報データベースの緯度及び経度に基づいて設定するとともに、処理対象である表示対象の表示面積をステップ５０３にて算出した比率を基に設定する（５０６）。標準地図での表示面積は、この比率を乗算することで変更され、これにより標準地図での縮尺が変更されたことになる。なお、始点で指定された表示対象については、起点箇所の表示位置のみを設定すればよい（縮尺変更は不要）。すなわち、起点で指定された表示対象の縮尺を１として、それ以外の表示対象の縮尺を、条件値に基づいで算出した比率で変更する。
【００３９】
続いて、処理順序番号と最後尾の番号とを比較し、表示対象リストテーブルの全ての表示対象YYの縮尺変更処理が済みか否かを判定する（５０７）。処理済みの場合は、地図表示結果メッセージ（図６（c））を設定しクライアント装置に縮尺変更した地図表示イメージを送信する（５０９）。処理済みではない場合、処理順序を１インクリメントし、次の処理対象である表示対象を設定（５０８）後、再度５０３の処理から実施する。
【００４０】
図１１はクライアント装置に表示される画面の一例を示した図である。表示条件選択画面６０１は、図８のステップ３０３にて表示される画面であり、表示条件を選択するプルダウンメニューが表示されている。
【００４１】
符号６０２の画面は、表示条件選択後の標準地図の地図表示イメージを表示した画面である。この画面では、各表示対象（各区分単位）の縮尺は一定である。符号６０２の画面にて始点となる１つの表示対象（区分単位）を選択する。
【００４２】
符号６０３の画面は、始点となる１つの表示対象（区分単位）の選択後、縮尺変更処理が行われた後の縮尺変更した地図表示イメージを表示した画面である。この画面では、各表示対象（各区分単位）の縮尺は、様々に変更されている。
【符号の説明】
【００４３】
１  ホスト装置
２  地図情報管理部
３  地図表示イメージ作成部
４  地図表示処理部
５  地図情報データベース
６  表示条件情報データベース
７  クライアントＰＣ
８  移動型端末
１０  地図表示クライアント装置
【図１】
0005824682.tif 000002
【図２】
0005824682.tif 000003
【図３】
0005824682.tif 000004
【図４】
0005824682.tif 000005
【図５】
0005824682.tif 000006
【図６】
0005824682.tif 000007
【図７】
0005824682.tif 000008
【図８】
0005824682.tif 000009
【図９】
0005824682.tif 000010
【図１０】
0005824682.tif 000011
【図１１】
0005824682.tif 000012